(57)【要約】【課題】吸収性物品を取り外すときの剥離音を低減することができるサニタリーショーツを提供すること。【解決手段】吸収性物品２が股下部１０に取り付けられて使用されるサニタリーショーツである。股下部１０に吸収性物品２を取り外すときの剥離音を低減させる制振層１３を有している。制振層１３は、股下部１２を構成し且つ吸収性物品２が取り付けられる部材の表側及び／又は裏側に有していることが好ましい。制振層１３は、前記部材に厚さ０．１〜５．０ｍｍの制振材が固定されるか、又は前記部材に制振塗膜が形成されて設けられていることが好ましい。【選択図】  図１
2005296535.tif 000002
【特許請求の範囲】
【請求項１】
吸収性物品が股下部に取り付けられて使用されるサニタリーショーツであって、
前記股下部に前記吸収性物品を取り外すときの剥離音を低減させる制振層を有しているサニタリーショーツ。
【請求項２】
前記制振層を、前記股下部を構成し且つ吸収性物品が取り付けられる部材の表側及び／又は裏側に有している請求項１記載のサニタリーショーツ。
【請求項３】
前記制振層は、前記部材に厚さ０．１〜５．０ｍｍの制振材が固定されるか、又は前記部材に制振塗膜が形成されて設けられている請求項２記載のサニタリーショーツ。
【請求項４】
前記部材が、身生地又は該身生地に接合された股布である請求項２又は３に記載のサニタリーショーツ。
【請求項５】
前記制振層の面積が前記吸収性物品のずれ止め材の面積よりも広く設けられている請求項１〜４の何れかに記載のサニタリーショーツ。
【発明の詳細な説明】
【技術分野】
【０００１】
股下部に吸収性物品が取り付けられて使用されるサニタリーショーツに関する。
【背景技術】
【０００２】
生理用品等の吸収性物品は、ずれ止め材で下着に固定されて使用され、使用後は、当該ずれ止め材が下着から剥がされて吸収性物品が取り外され、廃棄される。
ところで、従来の生理用ショーツは、ずれ止め材を剥がして吸収性物品を取り外すときに、剥離音が発生し、使用者に不快感を与えていた。
【０００３】
一方、生理用ショーツには、下記特許文献１〜３に記載の技術のように、吸収性物品のずれや滑りを防ぐことを目的として、ショーツの股下部にずれ止め防止用の布、ずれ止め、滑り止め小突隆体などを配したものは知られている。しかし、吸収性物品を取り外すときの剥離音を軽減するようなものは知られていない。
【０００４】
【特許文献１】実公昭６３−３２５２１号公報
【特許文献２】実公昭６２−１２８５２６号公報
【特許文献３】実公昭６１−６５９２８号公報
【発明の開示】
【発明が解決しようとする課題】
【０００５】
従って、本発明は、上述の課題に鑑みてなされたものであり、吸収性物品を取り外すときの剥離音を低減することができる新規なサニタリーショーツを提供することを目的とする。
【課題を解決するための手段】
【０００６】
本発明は、吸収性物品が股下部に取り付けられて使用されるサニタリーショーツであって、前記股下部に前記吸収性物品を取り外すときの剥離音を低減させる制振層を有しているサニタリーショーツを提供することにより、前記目的を達成したものである。
【発明の効果】
【０００７】
本発明によれば、吸収性物品を取り外すときの剥離音を低減することができるため、使用者の不快感を軽減することができる。
【発明を実施するための最良の形態】
【０００８】
以下、本発明のサニタリーショーツ（以下、単にショーツともいう。）を、その好ましい実施形態に基づき図面を参照しながら説明する。
【０００９】
図１は、本発明のショーツの一実施形態を模式的に示したものである。図１において、符号１はショーツ、一点鎖線で示す２は吸収性物品を示している。
【００１０】
図１に示すように、ショーツ１は、吸収性物品２が股下部１０に取り付けられて使用される。ショーツ１の前記股下部１０は、身生地１１に股布１２が接合されて設けられている。ショーツ１は、股下部１０に吸収性物品２を取り外すときの剥離音を低減させる制振層１３を有している。本実施形態のショーツ１は、制振層１３を、股下部１０を構成し且つ吸収性物品２が取り付けられる部材である股布１２の裏側（身生地１１と股布１２との間）に有している。
【００１１】
身生地１１には、従来からこの種のショーツに使用される公知のものを特に制限なく使用することができる。身生地１１の縫合形態に特に制限はない。本実施形態では、股布１２はその前後左右が身生地１１に縫合固定されているが、前後のみを縫合固定して左右が自由端となっている縫合形態（２重クロッチ）でもよい。
【００１２】
股布１２には、従来からこの種のショーツに使用される公知のものを特に制限なく使用することができる。本実施形態では、股布１２は、透湿防漏層１２０と肌当接層１２１とを有している。透湿防漏層１２０としては、従来から吸収性物品に用いられている公知の透湿性の防漏フィルム（例えば、実開平５−９１６４４号公報の明細書〔００１０〕に記載の防漏性フィルム）、カネボウ（株）製「ラボックペレ」、帝人（株）製「ポーラスＫ-III」、レポラ（旭化成工業（株）製）、エントラント（東レ（株）製）、ユニチカ
（株）製「コーポラン」、クラレ（株）製「ファンセラ」、大和紡績（株）製「レスピーノ」等が挙げられる。肌当接層１２１としては、パイル状生地（例えば、実開平５−９１６４４号公報の明細書〔００１１〕〜〔００１３〕に記載のパイル状の生地）、ポリエステル、ポリオレフィン、ナイロン、ビニロン、アクリル系樹脂で親水化処理をした２０番手〜１００番手の太さで、パイル密度が５０〜４００個／ｃｍ2で、パイル高さが０．２〜３ｍｍのパイルで横方向に２〜４倍の伸縮を備えたパイル等が挙げられる。透湿防漏層１２０と肌当接層１２１との接合方法としては、接着剤による接合方法、超音波若しくは熱による融着シール又は透湿防漏層１２０の構成材となる熱可塑性樹脂と肌当接層とのラミネート加工による接合方法等が挙げられる。
【００１３】
本実施形態の前記制振層１３は、制振材で設けられている。制振層１３の厚み（制振材の厚み）は、装着時の違和感やナプキン等の吸収物品との操作性を考慮すると、０．１〜〜５．０ｍｍ、特に０．２〜３．０ｍｍとすることが好ましい。該制振材としては、天然ゴム、ブタジエンゴム、アクリロニトリルブタジエンゴム、スチレンブタジエンゴム、ブチルゴム、ウレタンゴム等の防振ゴム等の合成樹脂からなるフィルムシート、樹脂ネット、繊維シートが挙げられる。
【００１４】
前記制振層１３の面積（または領域）は、吸収性物品２のずれ止め材２０の面積よりも広く設けられており、制振層１３の幅は、ずれ止め材２０の幅よりも広く設けられている。また、制振層１３は、股下部１０におけるずれ止め材２０が貼り合わされる部分に配されている。制振層１３と透湿防漏層１２０との接合方法としては、接着剤による接合方法、超音波若しくは熱による融着シール又は透湿防漏層１２０の構成材となる熱可塑性樹脂と制振層とのラミネート加工による接合方法等が挙げられる。制振層１３と股布１２の接合は、剥離音の低減および吸収性物品の着脱に対する強度の観点から、少なくともずれ止め材２０の接着する領域において全面積が接合されていることが好ましく、制振層１３の全面積が股布１２と接合一体化されていることが一層好ましい。
【００１５】
前記吸収性物品２としては、ずれ止め材で固定する吸収性物品であれば特に制限はなく、生理用ナプキン、失禁用パッド、パンティライナー、補助パッド等の吸収性物品が挙げられる。
【００１６】
本実施形態のショーツ１は、上述のように、股下部１０に制振層１３を有しているため、ずれ止め材２０を剥がして吸収性物品２を取り外すときの剥離音が低減され、使用者に不快感を与えることがない。特に、制振層１３が透湿防漏層１２０の裏側（下側）に配されているため、剥離時の振動が、その制振層で吸収され、音源の振動より小さい振動に変換し、そのため肌当接層や透湿防漏層への振動による剥離音を低減することができる。
【００１７】
図２は、本発明の第２実施形態における股下部の一部を模式的に示したものである。なお、図２において、前記第１実施形態と共通する部分については、同一符号を付し、その説明を省略する。従って、特に説明のない部分については前記第１実施形態の説明が適宜適用される。
【００１８】
本実施形態のショーツは、制振層１３が、股下部１０を構成し且つ吸収性物品２が取り付けられる部材である股布１２の表面、即ち前記肌当接層１２１の表面（吸収性物品と接触する側）に配されている点を除けば、第１実施形態のショーツ１と同様の構成を有している。本実施形態の制振層１３も制振材で設けられている。
【００１９】
肌当接層１２１と制振層１３との接合法としては、超音波や熱による融着シールや熱可塑性樹脂を直接ラミネート加工等が挙げられる。制振層１３はその全面積を股布１２と接合一体化されていることが、剥離音の低減および吸収性物品の着脱に対する強度の観点から好ましい。本実施形態では、前記制振層と吸収性物品の固定用粘着材が直接接着するため、その接着性及び剥離性の観点から、制振層１３は、吸収性物品２のずれ止め材２０との接着力が２００ｃＮ／２．５ｃｍ以下、特に５０〜１５０ｃＮ／２．５ｃｍとすることが好ましい。このような接着力を得るためには、制振層１３の表面（粘着材との接触面）に剥離処理を全面もしくはパターンで施したり、制振材にシリコン系／フッ素系等の別樹脂を配合することが好ましい。制振層１３とずれ止め材２０との接着力は、５サンプルの極大平均値の平均結果により得ることができる。該接着力の極大平均値は、以下の方法により測定される。ナプキン等の吸収性物品の粘着面側を上にし、その上に股下部の層構造を有するショーツサンプルを、肌当接層を下にして載せ、２ｋｇのローラーを１往復させて接着力の測定サンプルを調製した。そして、万能試験機（Ａ＆Ｄ製、テンシロンＲＴＣ−１２１０）を用い、上部チャックに吸収性物品の端部、下部チャックにショーツサンプルを固定し、３００ｍｍ／ｍｉｎのクロスヘッドスピードで引っ張り試験を行って剥離（Ｔ剥離）強度を計測した。計測したデータを、該万能試験機に接続したコンピュータにインストール済みの剥離試験用ソフトにて処理し、測定サンプルの接着力の極大平均値を得た。
【００２０】
本実施形態のショーツによれば、第１実施形態のショーツ１と同様に、股下部１０に制振層１３を有しているため、ずれ止め材２０を剥がして吸収性物品２を取り外すときの剥離音が低減され、使用者に不快感を与えることがない。また、肌当接層１２１の表面に制振層１３が配されているため、剥離時に発生する肌当接層の振動を制振層で吸収され、剥離時の振動より小さい振動に変換し、そのため肌当接層や透湿防漏層への振動から発生する剥離音を低減することができる。
【００２１】
図３は、本発明の第３実施形態による股下部の一部を模式的に示したものである。なお、図３において、前記第１実施形態と共通する部分については、同一符号を付し、その説明を省略する。従って、特に説明のない部分については前記第１実施形態の説明が適宜適用される。
【００２２】
本実施形態のショーツは、制振層１３が、股下部１０を構成し且つ吸収性物品２が取り付けられる部材である身生地１１の裏側（ショーツの内側）に制振塗膜が形成されて設けられている。制振塗膜の厚み（部材の入り込んだ部分を含む）は、２０μｍ〜２００μｍ、特に５０μｍ〜１００μｍとすることが好ましい。該制振塗膜の塗工量は、１０〜１００ｇ／ｍ2、特に２０〜５０ｇ／ｍ2とすることが好ましい。前記制振層１３の面積は、前記吸収性物品２のずれ止め材２０の面積よりも広く設けられている。また、制振層１３の幅は、ずれ止め材２０の幅よりも広く設けられている。
【００２３】
前記制振層１３に使用される塗膜の原料としては、合成樹脂や天然高分子物質であるエポキシ系、フタル酸系、エマルジョン系、塩化ビニル系等が挙げられる。制振層１３は、前記塗膜の原料の身生地１１への塗工方法に特に制限はないが、硬化状態が色々と異なるので、特に装着時の違和感がなく、また吸収物品の操作性を考慮すると、スプレーコートやロールコート、グラビアコートによって塗工することが好ましい。
【００２４】
本実施形態のショーツによれば、第１実施形態のショーツ１と同様に、股下部１０に制振層１３を有しているため、ずれ止め材２０を剥がして吸収性物品２を取り外すときの剥離音が低減され、使用者に不快感を与えることがない。また、制振層１３が身生地１１の内側に塗膜が形成されて設けられているため、加工を簡略化でき加工性も良くすることができる。
【００２５】
本発明は、前記実施形態に制限されるものではなく、本発明の趣旨を逸脱しない範囲において適宜変更することができる。
【００２６】
本発明は、前記第３実施形態のように、ショーツの股部における身生地の内側に制振層を有していることが好ましいが、ショーツ股部における身生地の外側に制振層を有していてもよい。
【００２７】
股布１２の両面に制振材による制振層を形成してもよく、片面に制振材、一方の面に塗膜による制振層を組み合わせてもよい。股下部が身生地のみからなる場合にも、身生地の表側及び／又は裏側に制振材による制振層を形成してもよい。
【００２８】
本発明は、裾の付いたトランクスタイプや脚繰りの大きなスポーツタイプ等のサニタリーショーツとして通常用いられている別の形状のショーツに用いてもよい。
【実施例】
【００２９】
以下、実施例により本発明をさらに具体的に説明する。
【００３０】
下記実施例１、２並びに比較例１のような層構造を有するショーツの股下部のサンプルを作製し、得られたサンプルに生理用ナプキンを取り付けて、取り外したときの剥離音を下記のように評価した。
【００３１】
〔実施例１〕
層構造：股布（肌当接層／透湿性防漏層）／制振層／身生地
身生地：幅８０ｍｍ×長さ１６０ｍｍ、材質綿９０%、ポリウレタン１０％
股布：幅８０ｍｍ×長さ１６０ｍｍ、肌当接層（ポリエステル１００％）、透湿性防漏層（フッ素樹脂系のポリテトラフロロエチレンのマイクロポーラス）
制振層（制振材）：厚み０．４ｍｍ×幅６０ｍｍ×長さ１５０ｍｍ、材質は制振ゴム（スチレンブタジエンブロック共重合体ゴム）
各層の接合方法：ホットメルト粘着剤で制振材の全面を股布に接着した。その後、前記層構造に重ね、股布と身生地の周囲を両面テープで固定した。
【００３２】
〔実施例２〕
層構造を下記のようにした以外は、実施例１と同様にして作製した。
層構造：身生地／制振層（身生地の下側（外側））
身生地：綿１００%
制振層（制振材）：スチレンブタジエンブロック共重合体ゴム
各層の接合方法：ホットメルト粘着剤を制振層の全面に塗布して身生地に貼り付けた。
【００３３】
〔比較例１〕
層構造：股布（肌当接層／透湿性防漏層）／身生地
制振層を設けなかった以外は、実施例１と同様にして作製した。
【００３４】
〔剥離音の評価〕
実施例及び比較例のサンプルにおける生理用ナプキンとの接着面を表にして平滑面に載せ、市販の生理用ナプキンを該接着面上に載せ、２ｋｇのローラーを１往復させた。そして、外部の音を遮断した密閉された部屋で、１０人のモニターに接着した生理用ナプキンを剥がしてもらい、比較例と実施例との剥離音レベルの差を下記の三段階で評価した。
○：比較例に比べて剥離音が低下したと感じた
△：比較例に比べて剥離音がやや小さくなったと感じた
×：差が感じられない
【００３５】
【表１】
2005296535.tif 000003
【００３６】
上記評価方法により剥離音の評価を行った結果、全てのモニターの評価が△又は〇であり、剥離音の低減効果が確認できた。
【図面の簡単な説明】
【００３７】
【図１】本発明のサニタリーショーツの第１実施形態を模式的に示す図であり、（ａ）は斜視図、（ｂ）は（ａ）のＡ−Ａ矢視断面における股部の層構造を示す図である。
【図２】本発明のサニタリーショーツの第２実施形態における股部の層構造を示す図（図１（ｂ）相当図）である。
【図３】本発明のサニタリーショーツの第３実施形態における股部の層構造を示す図（図１（ｂ）相当図）である。
【符号の説明】
【００３８】
１  サニタリーショーツ
１０  股下部
１１  身生地（部材）
１２  股布（部材）
１２０  透湿性防漏層
１２１  肌当接層
１３  制振層
２  吸収性物品
２０  ずれ止め材
【図１】
2005296535.tif 000004
【図２】
2005296535.tif 000005
【図３】
2005296535.tif 000006